(57)【要約】【課題】ビーコンの送信側および受信側の双方で消費電力を低く抑えること。【解決手段】携帯電話システム、および、携帯電話システムと異なるＷＬＡＮシステムを使用可能な無線受信装置２００であって、ＷＬＡＮ処理部２０５の決定部２０６は、携帯電話システムの基地局装置が送信する報知信号の送信タイミングに同期して、ＷＬＡＮシステムで用いるビーコンの受信タイミングを決定し、ＷＬＡＮ処理部２０５のＷＬＡＮ受信部２０７は、決定部２０６で決定された受信タイミングに従って、ビーコンを受信する。【選択図】図３
2011004341.tif 000002
【特許請求の範囲】
【請求項１】
第１通信システム、および、前記第１通信システムと異なる第２通信システムを使用可能な無線受信装置であって、
前記第１通信システムの基地局装置が送信する制御信号の送信タイミングに同期して、前記第２通信システムで用いるビーコンの受信タイミングを決定する決定手段と、
前記受信タイミングに従って、前記ビーコンを受信する受信手段と、
を具備する無線受信装置。
【請求項２】
前記受信手段は、予め設定された基地局ＩＤと同一の基地局ＩＤが前記制御信号から検出された場合、前記決定手段で決定された前記受信タイミングに従って、前記ビーコンを受信する、
請求項１記載の無線受信装置。
【請求項３】
特定の位置を入力する入力手段、をさらに具備し、
前記受信手段は、前記特定の位置に対応する基地局装置の基地局ＩＤと同一の基地局ＩＤが前記制御信号から検出された場合、前記決定手段で決定された前記受信タイミングに従って、前記ビーコンを受信する、
請求項１記載の無線受信装置。
【請求項４】
前記受信手段は、自装置および前記第２通信システムの通信相手の双方が前記基地局装置のカバーエリア内に位置する場合、前記決定手段で決定された前記受信タイミングに従って、前記ビーコンを受信し、自装置または前記第２通信システムの通信相手のいずれか一方でも前記基地局装置のカバーエリア外に位置する場合、予め設定された受信タイミングに従って、前記ビーコンを受信する、
請求項１記載の無線受信装置。
【請求項５】
第１通信システム、および、前記第１通信システムと異なる第２通信システムを使用可能な無線送信装置であって、
前記第１通信システムの基地局装置が送信する制御信号の送信タイミングに同期して、前記第２通信システムで用いるビーコンの送信タイミングを決定する決定手段と、
前記送信タイミングに従って、前記ビーコンを送信する送信手段と、
を具備する無線送信装置。
【請求項６】
第１通信システムの基地局装置が送信する制御信号の送信タイミングに同期して、前記第１通信システムと異なる第２通信システムで用いるビーコンの受信タイミングを決定する、
ビーコン受信タイミング決定方法。
【発明の詳細な説明】
【技術分野】
【０００１】
本発明は、無線受信装置、無線送信装置およびビーコン受信タイミング決定方法に関するものである。
【背景技術】
【０００２】
近年、携帯電話機等の無線端末装置に無線ＬＡＮ（ＷＬＡＮ：Wireless Local Area Network）機能を搭載することが検討されている。ＷＬＡＮ機能を搭載した無線端末装置は、携帯電話システムおよびＷＬＡＮシステムの双方を切り替えて使用することが可能となる。
【０００３】
また、ＷＬＡＮ機能を搭載した無線端末装置において、アクセスポイント（ＡＰ：Access Point）等を必要とせず、無線端末装置同士がＷＬＡＮによって接続できるアドホックネットワーク（ad hoc network）を構築することが検討されている。アドホックネットワークは、ＡＰ等のインフラ（Infrastructure）が存在しない場所でも簡易にネットワークを構築することができる。
【０００４】
ＷＬＡＮシステムにおいてアドホックネットワーク（つまり、アドホックモードのＷＬＡＮシステム）を構成するために、無線端末装置はビーコンを定期的に送信する。一方、アドホックネットワークに参加するために、無線端末装置はビーコンを定期的に検出（スキャン）する。そして、アドホックネットワークに参加する側、つまり、ビーコンを定期的に検出する無線端末装置（無線受信装置）は、目的とするアドホックネットワークのＳＳＩＤ（Service Set Identifier）を検出すると、アドホックネットワークを構成する側、つまり、ビーコンを送信する無線端末装置（無線送信装置）とのアドホック通信の接続動作を開始する。従来、無線送信装置は、一定間隔（例えば、送信周期１００ｍｓ）でビーコンを送信する（例えば、特許文献１および特許文献２参照）。
【先行技術文献】
【特許文献】
【０００５】
【特許文献１】特開２００７−０１９８５６号公報
【特許文献２】特開２００８−０７９３０６号公報
【発明の概要】
【発明が解決しようとする課題】
【０００６】
上記従来技術のように、無線送信装置は、一定の間隔でビーコンを送信する。そのため、無線送信装置では、ビーコン送信のための消費電力を低く抑えるためには、ビーコンの送信間隔を長く設定することで、ビーコンの送信頻度を少なくすることが好ましい。
【０００７】
一方、無線受信装置は、無線送信装置が送信するビーコンの送信タイミングを知らない。よって、無線受信装置は、一定の間隔で送信されるビーコンを検出するために、ビーコンの送信周期（例えば、１００ｍｓ）分だけ、ビーコンを連続受信する必要がある。そのため、無線受信装置では、ビーコンの連続受信のための消費電力を低く抑えるためには、無線送信装置からのビーコンの送信間隔を短くすることで、ビーコンの送信頻度が多くなることが好ましい。
【０００８】
つまり、無線送信装置ではビーコンの送信間隔を長くするほど（送信頻度を少なくするほど）消費電力を低く抑えることできるのに対し、無線受信装置ではビーコンの送信間隔を短くするほど（送信頻度を多くするほど）消費電力を低く抑えることができる。このように、無線送信装置におけるビーコン送信時の消費電力と、無線受信装置におけるビーコン受信時の消費電力との間にはトレードオフの関係がある。
【０００９】
本発明は、かかる点に鑑みてなされたものであり、ビーコンの送信側および受信側の双方で消費電力を低く抑えることができる無線受信装置、無線送信装置およびビーコン受信タイミング決定方法を提供することを目的とする。
【課題を解決するための手段】
【００１０】
本発明の無線受信装置は、第１通信システム、および、前記第１通信システムと異なる第２通信システムを使用可能な無線受信装置であって、前記第１通信システムの基地局装置が送信する制御信号の送信タイミングに同期して、前記第２通信システムで用いるビーコンの受信タイミングを決定する決定手段と、前記受信タイミングに従って、前記ビーコンを受信する受信手段と、を具備する構成を採る。
【００１１】
本発明の無線送信装置は、第１通信システム、および、前記第１通信システムと異なる第２通信システムを使用可能な無線送信装置であって、前記第１通信システムの基地局装置が送信する制御信号の送信タイミングに同期して、前記第２通信システムで用いるビーコンの送信タイミングを決定する決定手段と、前記送信タイミングに従って、前記ビーコンを送信する送信手段と、を具備する構成を採る。
【００１２】
本発明のビーコン受信タイミング決定方法は、第１通信システムの基地局装置が送信する制御信号の送信タイミングに同期して、前記第１通信システムと異なる第２通信システムで用いるビーコンの受信タイミングを決定するようにした。
【発明の効果】
【００１３】
本発明によれば、ビーコンの送信側および受信側の双方で消費電力を低く抑えることができる。
【図面の簡単な説明】
【００１４】
【図１】本発明の無線通信システムを示す図
【図２】本発明の実施の形態１に係る無線送信装置の構成を示すブロック図
【図３】本発明の実施の形態１に係る無線受信装置の構成を示すブロック図
【図４】本発明の実施の形態１に係るビーコンの送受信処理の詳細を示す図
【図５】本発明の実施の形態２に係る無線送信装置の構成を示すブロック図
【図６】本発明の実施の形態２に係る無線受信装置の構成を示すブロック図
【図７】本発明の実施の形態３に係る無線送信装置の構成を示すブロック図
【図８】本発明の実施の形態３に係る無線受信装置の構成を示すブロック図
【図９】本発明の実施の形態４に係る無線送信装置の構成を示すブロック図
【図１０】本発明の実施の形態４に係る無線受信装置の構成を示すブロック図
【発明を実施するための形態】
【００１５】
以下、本発明の実施の形態について、添付図面を参照して詳細に説明する。一例として、図１に本発明の各実施の形態に係る無線通信システムの構成を示す。図１では、携帯電話システムの基地局（携帯電話基地局）のカバーエリア（携帯電話エリア）内に、携帯電話機Ａおよび携帯電話機Ｂが位置する。また、図１に示す基地局は、自局のカバーエリアに位置する端末に対して、自局の基地局ＩＤ等を含む報知信号を周期的に報知する。例えば、報知信号の送信周期は２．５６ｓである。
【００１６】
また、図１に示す携帯電話機Ａおよび携帯電話機Ｂは、アドホックモードのＷＬＡＮシステムにおいてアドホック通信を行う。すなわち、携帯電話機Ａおよび携帯電話機Ｂにより図１に示すＷＬＡＮエリアが構成される。つまり、携帯電話機Ａおよび携帯電話機Ｂは、携帯電話システムおよびＷＬＡＮシステムの双方を使用することが可能である。
【００１７】
また、図１に示す携帯電話機Ａおよび携帯電話機Ｂは、各実施の形態に係る無線送信装置および無線受信装置の双方を搭載する。そして、各携帯電話機は、自機がアドホックモードのＷＬＡＮシステムを構成する側であるか、アドホックモードのＷＬＡＮシステムに参加する側であるかに応じて、本発明の各実施の形態に係る無線送信装置の動作および無線受信装置の動作を切り替えて使用する。ただし、図１では、アドホック通信時には、携帯電話機Ａがビーコンを送信し、携帯電話機Ｂがビーコンを検出する。つまり、図１では、ビーコンを送信する携帯電話機Ａは本発明の各実施の形態に係る無線送信装置として動作し、ビーコンを受信する携帯電話機Ｂは本発明の各実施の形態に係る無線受信装置として動作する。
【００１８】
（実施の形態１）
本実施の形態に係る無線送信装置１００の構成を図２に示し、本実施の形態に係る無線受信装置２００の構成を図３に示す。
【００１９】
図２に示す無線送信装置１００において、携帯電話処理部１０２の無線部１０３は、図１に示す携帯電話システムの基地局（図１）から報知される報知信号を、アンテナ１０１（携帯電話用アンテナ）を介して受信する。そして、無線部１０３は、受信した報知信号をタイミング検出部１０４に出力する。
【００２０】
携帯電話処理部１０２のタイミング検出部１０４は、無線部１０３から入力される報知信号に基づいて、報知信号の送信タイミングを検出する。そして、タイミング検出部１０４は、検出した報知信号の送信タイミングを、ＷＬＡＮ処理部１０５の決定部１０６に出力する。
【００２１】
ＷＬＡＮ処理部１０５の決定部１０６は、タイミング検出部１０４から入力される、報知信号の送信タイミングに基づいて、ＷＬＡＮシステムで用いるビーコンの送信タイミングを決定する。具体的には、決定部１０６は、携帯電話システムの基地局が送信する報知信号の送信タイミングに同期して、ＷＬＡＮシステムで用いるビーコンの送信タイミングを決定する。つまり、決定部１０６は、自装置が属する基地局から送信される報知信号の送信タイミングを、ビーコンの送信タイミングとして決定する。例えば、基地局から報知される報知信号の送信タイミングが一定間隔の場合、決定部１０６は、報知信号の送信周期と同期して、ビーコンの送信周期を決定する。そして、決定部１０６は、決定したビーコンの送信タイミングをＷＬＡＮ送信部１０７に出力する。
【００２２】
ＷＬＡＮ処理部１０５のＷＬＡＮ送信部１０７は、決定部１０６から入力されるビーコンの送信タイミングに従って、アンテナ１０８（ＷＬＡＮ用アンテナ）を介してビーコンを送信する。
【００２３】
一方、図３に示す無線受信装置２００において、携帯電話処理部２０２は、無線送信装置１００の携帯電話処理部１０２（図２）と同様の構成を採る。すなわち、携帯電話処理部２０２の無線部２０３は、無線部１０３（図２）と同様、基地局（図１）から報知される報知信号を、アンテナ２０１（携帯電話用アンテナ）を介して受信する。また、携帯電話処理部２０２のタイミング検出部２０４は、タイミング検出部１０４（図２）と同様、無線部２０３から入力される報知信号に基づいて、報知信号の送信タイミングを検出する。そして、タイミング検出部２０４は、検出した報知信号の送信タイミングを、ＷＬＡＮ処理部２０５の決定部２０６に出力する。
【００２４】
ＷＬＡＮ処理部２０５の決定部２０６は、タイミング検出部２０４から入力される、報知信号の送信タイミングに基づいて、ＷＬＡＮシステムで用いるビーコンの受信タイミングを決定する。具体的には、決定部２０６は、携帯電話システムの基地局が送信する報知信号の送信タイミングに同期して、ＷＬＡＮシステムで用いるビーコンの受信タイミングを決定する。つまり、決定部２０６は、自装置が属する基地局から送信される報知信号の送信タイミングを、ビーコンの受信タイミングとして決定する。例えば、基地局から報知される報知信号の送信タイミングが一定間隔の場合、決定部２０６は、報知信号の送信周期と同期して、ビーコンの受信周期を決定する。そして、決定部２０６は、決定したビーコンの受信タイミングをＷＬＡＮ受信部２０７に出力する。
【００２５】
ＷＬＡＮ処理部２０５のＷＬＡＮ受信部２０７は、決定部２０６から入力されるビーコンの受信タイミングに従って、アンテナ２０８（ＷＬＡＮ用アンテナ）を介してビーコンを受信する。
【００２６】
次に、本実施の形態に係る無線送信装置１００（図２）および無線受信装置２００（図３）におけるビーコンの送受信処理の詳細について説明する。
【００２７】
以下の説明では、図１に示す携帯電話機Ａが無線送信装置１００として動作し、携帯電話機Ｂが無線受信装置２００として動作する。つまり、携帯電話機Ａ（無線送信装置１００）がビーコンを送信し、携帯電話機Ｂ（無線受信装置２００）がビーコンを受信する。
【００２８】
図４に示すように、基地局が報知した報知信号を受信すると、携帯電話機Ａ（無線送信装置１００）のタイミング検出部１０４および携帯電話機Ｂ（無線受信装置２００）のタイミング検出部２０４は、報知信号の送信タイミングを検出する。
【００２９】
そして、図４に示すように、携帯電話機Ａ（無線送信装置１００）の決定部１０６は、報知信号の送信タイミングを、ビーコンの送信タイミングに決定する。つまり、決定部１０６は、報知信号の送信タイミングに同期して、ビーコンの送信タイミングを決定する。そして、図４に示すように、携帯電話機Ａ（無線送信装置１００）のＷＬＡＮ送信部１０７は、決定部１０６で決定したビーコンの送信タイミング（つまり、報知信号の送信タイミング）でビーコンを送信する。
【００３０】
同様にして、図４に示すように、携帯電話機Ｂ（無線受信装置２００）の決定部２０６は、報知信号の送信タイミングを、ビーコンの受信タイミングに決定する。つまり、決定部２０６は、報知信号の送信タイミングに同期して、ビーコンの受信タイミングを決定する。そして、携帯電話機Ｂ（無線受信装置２００）のＷＬＡＮ受信部２０７は、決定部２０６で決定したビーコンの受信タイミング（つまり、報知信号の送信タイミング）で、ビーコンを受信する。
【００３１】
このようにして、無線送信装置１００および無線受信装置２００は、携帯電話システムで用いる報知信号の送信タイミングと同期して、ＷＬＡＮシステムで用いるビーコンの送信タイミングおよび受信タイミングをそれぞれ決定する。つまり、無線受信装置２００は、基地局が報知する報知信号の送信タイミングを検出することにより、無線送信装置１００におけるビーコンの送信タイミングを特定することができる。これにより、無線受信装置２００は、ビーコンの各送信タイミング（図４では送信周期２．５６ｓ）でのみビーコンを検出すればよい。すなわち、無線受信装置２００は、ビーコンの送信周期（図４では２．５６ｓ）分だけ、ビーコンの連続受信を行わなくてもよい。
【００３２】
例えば、従来のビーコンの送信周期１００ｍｓと比較すると、図４ではビーコンの送信周期は２．５６ｓであり、従来のビーコンの送信周期よりも十分に長い。つまり、無線送信装置１００は、より長い送信間隔でビーコンを送信することで、ビーコンの送信頻度を少なくすることができるので、ビーコン送信のための消費電力を低く抑えることができる。また、上述したように、無線受信装置２００は、ビーコンの送信周期が長くなる場合でも、ビーコンの送信周期２．５６ｓだけビーコンを連続受信（連続スキャン）するのではなく、ビーコンの送信周期２．５６ｓ毎にビーコンを受信（スキャン）すればよい。よって、無線受信装置２００では、ビーコン受信のための消費電力を低く抑えることができる。
【００３３】
このように、本実施の形態によれば、アドホック通信を行う無線送信装置および無線受信装置は、自装置が属する、携帯電話システムの基地局が報知する報知信号の送信タイミングと同期して、ＷＬＡＮシステムで用いるビーコンの送信タイミングおよび受信タイミングをそれぞれ決定する。これにより、無線送信装置は、報知信号の送信タイミング（例えば送信周期２．５６ｓ）と同期してビーコンを送信するので、従来のビーコン送信頻度（例えば１００ｍｓ毎のビーコン送信）よりもビーコンの送信頻度を少なくすることが可能となる。これにより、無線送信装置では、ビーコン送信時の消費電力を低減することができる。また、無線受信装置は、無線送信装置と同様にして報知信号の送信タイミングと同期してビーコンを受信するので、無線送信装置からのビーコンの送信タイミングを特定できる。このため、無線受信装置は、ビーコンの送信間隔が長くなる場合（送信頻度が少なくなる場合）でも、ビーコンの連続受信（連続スキャン）を行うことなく、ビーコンを受信することができる。よって、無線受信装置では、ビーコンの受信時の消費電力を低く抑えることができる。よって、本実施の形態によれば、ビーコンの送信側および受信側の双方で消費電力を低く抑えることができる。
【００３４】
（実施の形態２）
本実施の形態では、無線送信装置および無線受信装置は、予め設定された基地局ＩＤと同一の基地局ＩＤを報知信号から検出した場合、ビーコンの送受信を開始する。
【００３５】
本実施の形態に係る無線送信装置３００の構成を図５に示し、本実施の形態に係る無線受信装置４００の構成を図６に示す。なお、図５および図６において実施の形態１（図２および図３）と同一の構成部には同一符号を付し説明を省略する。
【００３６】
図５に示す無線送信装置３００において、携帯電話処理部１０２の基地局ＩＤ検出部３０１には、報知信号がタイミング検出部１０４から入力される。そして、基地局ＩＤ検出部３０１は、タイミング検出部１０４から入力される報知信号から、基地局ＩＤ（すなわち、報知信号送信元の基地局の基地局ＩＤ）を検出する。そして、基地局ＩＤ検出部３０１は、検出した基地局ＩＤを照合部３０２に出力する。
【００３７】
照合部３０２は、特定の基地局の基地局ＩＤを予め記憶している。照合部３０２は、基地局ＩＤ検出部３０１から入力される基地局ＩＤと、予め記憶されている基地局ＩＤとを照合する。そして、照合部３０２は、照合の結果、基地局ＩＤ検出部３０１から入力される基地局ＩＤが、予め記憶されている基地局ＩＤと同一の場合、ビーコンの送信開始を示す情報をＷＬＡＮ送信部１０７に出力する。
【００３８】
ＷＬＡＮ送信部１０７は、照合部３０２から、ビーコンの送信開始を示す情報が入力される場合、実施の形態１と同様にして決定部１０６で決定された送信タイミングに従って、ビーコンの送信を開始する。
【００３９】
一方、図６に示す無線受信装置４００において、携帯電話処理部２０２は、無線送信装置３００の携帯電話処理部１０２（図５）と同様の構成を採る。すなわち、携帯電話処理部２０２の基地局ＩＤ検出部４０１は、携帯電話処理部１０２の基地局ＩＤ検出部３０１（図５）と同様の処理を行う。
【００４０】
また、図６に示す無線受信装置４００において、照合部４０２は、無線送信装置３００の照合部３０２と同様の処理を行う。すなわち、照合部４０２は、基地局ＩＤ検出部４０１から入力される基地局ＩＤが、予め記憶されている基地局ＩＤと同一の場合、ビーコンの受信開始を示す情報をＷＬＡＮ受信部２０７に出力する。
【００４１】
そして、ＷＬＡＮ受信部２０７は、照合部４０２から、ビーコンの受信開始を示す情報が入力される場合、実施の形態１と同様にして決定部２０６で決定された受信タイミングに従って、ビーコンの受信を開始する。
【００４２】
これにより、例えば、図１に示す携帯電話機Ａ（無線送信装置３００）および携帯電話機Ｂ（無線受信装置４００）は、特定の基地局（つまり、照合部３０２および照合部４０２に予め記憶されている基地局ＩＤの基地局）のカバーエリア内でのみ、ＷＬＡＮシステムで用いるビーコンの送受信（例えば、図４に示すビーコンの送受信）を行う。つまり、図１に示す携帯電話機Ａ（無線送信装置３００）および携帯電話機Ｂ（無線受信装置４００）は、特定の基地局のカバーエリア内でのみアドホック通信を行う。すなわち、図１に示す携帯電話機Ａ（無線送信装置３００）および携帯電話機Ｂ（無線受信装置４００）は、特定の基地局のカバーエリア以外ではアドホック通信を行わない。
【００４３】
例えば、図１に示す携帯電話機Ａ（無線送信装置３００）および携帯電話機Ｂ（無線受信装置４００）は、アドホック通信を行うエリアとして自宅または待ち合わせ場所等の特定のエリアに対応する基地局の基地局ＩＤを予め記憶する。そして、図１に示す携帯電話機Ａ（無線送信装置３００）および携帯電話機Ｂ（無線受信装置４００）は、自宅または待ち合わせ場所等の特定のエリアに位置する場合には、特定のエリアに対応する基地局から報知信号を受信し、基地局の基地局ＩＤを検出する。そして、携帯電話機Ａ（無線送信装置３００）および携帯電話機Ｂ（無線受信装置４００）は、予め記憶している基地局ＩＤと検出した基地局ＩＤとを照合することで、アドホック通信を行うエリアであるか否かを判断する。これにより、携帯電話機Ａ（無線送信装置３００）および携帯電話機Ｂ（無線受信装置４００）は、特定の基地局のカバーエリア内でのみ、図４に示すようにＷＬＡＮシステムで用いるビーコンの送受信を開始することによりアドホック通信を行う。
【００４４】
このようにして、本実施の形態によれば、実施の形態１と同様、ビーコンの送信側および受信側の双方で消費電力を低く抑えることができる。さらに、本実施の形態によれば、無線送信装置および無線受信装置は、予め記憶している特定の基地局のカバーエリア、すなわち、アドホック通信を行うエリアのみでビーコンの送受信を開始するため、ビーコンの送信側および受信側の双方で消費電力をさらに低く抑えることができる。
【００４５】
（実施の形態３）
本実施の形態では、無線送信装置および無線受信装置は、特定の位置を入力し、入力された特定の位置に対応する基地局ＩＤと同一の基地局ＩＤを報知信号から検出した場合、実施の形態１と同様にして、ビーコンの送受信を開始する。
【００４６】
本実施の形態に係る無線送信装置５００の構成を図７に示し、本実施の形態に係る無線受信装置６００の構成を図８に示す。なお、図７および図８において実施の形態２（図５および図６）と同一の構成部には同一符号を付し説明を省略する。
【００４７】
図７に示す無線送信装置５００において、入力部５０１は、例えば操作入力により、特定の位置を入力する。例えば、入力部５０１は、ＧＰＳ（Global Positioning System）のマップ上において、ユーザの操作入力により指定された位置（例えば、待ち合わせ場所）を示す位置情報を生成する。そして、入力部５０１は、生成した位置情報を照合部３０２に出力する。
【００４８】
照合部３０２は、予め記憶されている複数の基地局ＩＤの中から、入力部５０１から入力される位置情報に示される位置に対応する基地局ＩＤを検索する。そして、照合部３０２は、検索した基地局ＩＤ（つまり、入力された特定の位置に対応する基地局の基地局ＩＤ）と、基地局ＩＤ検出部３０１から入力される基地局ＩＤ（報知信号送信元の基地局の基地局ＩＤ）とを照合する。そして、照合部３０２は、照合の結果、基地局ＩＤ検出部３０１から入力される基地局ＩＤが、検索した基地局ＩＤと同一の場合、ビーコンの送信開始を示す制御情報をＷＬＡＮ送信部１０７に出力する。
【００４９】
一方、図８に示す無線受信装置６００において、入力部６０１は、無線送信装置５００の入力部５０１（図７）と同様の処理を行う。そして、照合部４０２は、照合部３０２（図７）と同様、予め記憶されている複数の基地局ＩＤの中から、入力部６０１から入力される位置情報に示される位置に対応する基地局ＩＤを検索する。そして、照合部４０２は、基地局ＩＤ検出部４０１から入力される基地局ＩＤが、検索した基地局ＩＤと同一の場合、ビーコンの受信開始を示す制御情報をＷＬＡＮ受信部２０７に出力する。
【００５０】
つまり、無線送信装置５００は、入力部５０１で入力された特定の位置に対応する基地局の基地局ＩＤと同一の基地局ＩＤが報知信号から検出された場合のみ、決定部１０６で決定されたビーコンの送信タイミングに従って、ビーコンを送信する。同様に、無線受信装置６００は、入力部６０１で入力された特定の位置に対応する基地局の基地局ＩＤと同一の基地局ＩＤが報知信号から検出された場合のみ、決定部２０６で決定されたビーコンの受信タイミングに従って、ビーコンを受信する。
【００５１】
このようにして、本実施の形態によれば、アドホック通信が行われるエリアを操作入力により指定する場合でも、実施の形態２と同様の効果を得ることができる。
【００５２】
（実施の形態４）
本実施の形態では、無線送信装置および無線受信装置は、自装置またはアドホック通信相手のいずれか一方でも基地局の圏外（カバーエリア外）に位置する場合、予め設定されたビーコンの送受信タイミングに従って、ビーコンを送受信する。
【００５３】
本実施の形態に係る無線送信装置７００の構成を図９に示し、本実施の形態に係る無線受信装置８００の構成を図１０に示す。なお、図９および図１０において実施の形態１（図２および図３）と同一の構成部には同一符号を付し説明を省略する。
【００５４】
図９に示す無線送信装置７００において、携帯電話処理部１０２の圏外検出部７０１は、自装置またはアドホック通信相手における、携帯電話システムの基地局（図１）の圏内（カバーエリア内）から圏外（カバーエリア外）への移行、および、基地局の圏外から圏内への移行を検出する。具体的には、圏外検出部７０１は、自装置における、基地局の圏内から圏外へ移行または基地局の圏外から圏内への移行を検出すると、基地局の圏内から圏外への移行または基地局の圏外から圏内への移行を示す移行情報を無線部１０３に出力する。そして、無線部１０３は、移行情報をアドホック通信相手へ送信する。また、圏外検出部７０１は、無線部１０３から入力される、アドホック通信相手からの移行情報に基づいて、アドホック通信相手が基地局の圏内または圏外のいずれに位置するかを検出する。これにより、圏外検出部７０１は、自装置およびアドホック通信相手がそれぞれ基地局の圏内または圏外のいずれに位置するかを特定する。
【００５５】
そして、圏外検出部７０１は、自装置またはアドホック通信相手のいずれか一方でも、基地局の圏外に位置する場合、自装置またはアドホック通信相手が基地局の圏外に位置することを示す情報を決定部１０６に出力する。一方、圏外検出部７０１は、自装置およびアドホック通信相手の双方が基地局の圏内に位置する場合、自装置およびアドホック通信相手の双方が基地局の圏内に位置することを示す情報を決定部１０６に出力する。
【００５６】
決定部１０６は、圏外検出部７０１から、自装置またはアドホック通信相手が基地局の圏外に位置することを示す情報が入力される場合、ビーコンの送信タイミングを、予め設定された送信タイミングに決定する。一方、決定部１０６は、圏外検出部７０１から、自装置およびアドホック通信相手の双方が基地局の圏内に位置することを示す情報が入力される場合、実施の形態１と同様、タイミング検出部１０４から入力される報知信号の送信タイミングをビーコンの送信タイミングとして決定する。
【００５７】
一方、図１０に示す無線受信装置８００において、携帯電話処理部２０２は、無線送信装置７００の携帯電話処理部１０２（図９）と同様の構成を採る。すなわち、携帯電話処理部２０２の圏外検出部８０１は、携帯電話処理部１０２の圏外検出部７０１（図９）と同様の処理を行う。
【００５８】
そして、決定部２０６は、圏外検出部８０１から、自装置またはアドホック通信相手が基地局の圏外に位置することを示す情報が入力される場合、ビーコンの受信タイミングを、予め設定された受信タイミング（決定部１０６で予め設定された送信タイミングと同一のタイミング）に決定する。一方、決定部２０６は、圏外検出部８０１から、自装置およびアドホック通信相手の双方が基地局の圏内に位置することを示す情報が入力される場合、実施の形態１と同様、タイミング検出部２０４から入力される報知信号の送信タイミングをビーコンの受信タイミングとして決定する。
【００５９】
例えば、図１に示す携帯電話機Ａ（無線送信装置７００）が基地局のカバーエリア外に移行した場合について説明する。つまり、携帯電話機Ａ（無線送信装置７００）の圏外検出部７０１は、自装置が圏外に移行したことを検出する。また、ここでは、決定部１０６（図９）および決定部２０６（図１０）にはビーコンの送受信タイミングとして、１００ｍｓが予め設定されている。
【００６０】
この場合、携帯電話機Ａ（無線送信装置７００）の無線部１０３は、自装置が圏外に移行したことを示す移行情報を携帯電話機Ｂ（無線受信装置８００）へ通知する。これにより、携帯電話機Ｂ（無線受信装置８００）の圏外検出部８０１は、アドホック通信相手である携帯電話機Ａ（無線送信装置７００）が圏外に移行したことを検出する。
【００６１】
そして、携帯電話機Ａ（無線送信装置７００）の決定部１０６および携帯電話機Ｂ（無線受信装置８００）の決定部２０６は、携帯電話機Ａ（無線送信装置７００）が基地局の圏外に位置するので、ビーコンの送信タイミング（受信タイミング）を予め設定された１００ｍｓに決定する。
【００６２】
また、図１に示す携帯電話機Ａ（無線送信装置７００）が基地局のカバーエリア内に再び移行した場合には、携帯電話機Ａ（無線送信装置７００）の無線部１０３は、自装置が圏内に移行したことを示す移行情報を携帯電話機Ｂ（無線受信装置８００）へ通知する。これにより、携帯電話機Ｂ（無線受信装置８００）の圏外検出部８０１は、アドホック通信相手である携帯電話機Ａ（無線送信装置７００）が圏内に移行したことを検出する。
【００６３】
そして、携帯電話機Ａ（無線送信装置７００）の決定部１０６および携帯電話機Ｂ（無線受信装置８００）の決定部２０６は、携帯電話機Ａ（無線送信装置７００）および携帯電話機Ｂ（無線受信装置８００）の双方が基地局の圏内に位置するので、実施の形態１と同様にして、図４に示すように、報知信号の送信タイミングを、ビーコンの送信タイミング（受信タイミング）として決定する。
【００６４】
つまり、無線送信装置７００および無線受信装置８００は、自装置およびＷＬＡＮシステムにおけるアドホック通信相手の双方が、図１に示す基地局（携帯電話システムの基地局）の圏内（カバーエリア内）に位置する場合、決定部１０６および決定部２０６でそれぞれ決定された送信タイミングおよび受信タイミングに従って、ビーコンを送受信する。一方、無線送信装置７００および無線受信装置８００は、自装置またはＷＬＡＮシステムにおけるアドホック通信相手のいずれか一方でも、図１に示す基地局（携帯電話システムの基地局）の圏外（カバーエリア外）に位置する場合、予め設定された送信タイミングおよび受信タイミングに従って、ビーコンを送受信する。
【００６５】
このようにして、本実施の形態によれば、アドホック通信を行う端末のいずれか一方が基地局の圏外（カバーエリア外）に移行した場合には、予め設定されたタイミングを用いてビーコンの送受信を行う。よって、本実施の形態によれば、基地局の圏外（カバーエリア外）にアドホック通信を行う端末のいずれか一方が位置する場合でも、ビーコンの送受信が可能となり、アドホック通信を行うことができる。また、基地局の圏内（カバーエリア内）にアドホック通信を行う端末の双方が位置する場合には、実施の形態１と同様の効果を得ることができる。
【００６６】
以上、本発明の各実施の形態について説明した。
【産業上の利用可能性】
【００６７】
本発明は移動帯通信システム等に有用である。
【符号の説明】
【００６８】
１００，３００，５００，７００  無線送信装置
２００，４００，６００，８００  無線受信装置
１０１，１０８，２０１，２０８  アンテナ
１０２，２０２  携帯電話処理部
１０３，２０３  無線部
１０４，２０４  タイミング検出部
１０５，２０５  ＷＬＡＮ処理部
１０６，２０６  決定部
１０７  ＷＬＡＮ送信部
２０７  ＷＬＡＮ受信部
３０１，４０１  基地局ＩＤ検出部
３０２，４０２  照合部
５０１，６０１  入力部
７０１，８０１  圏外検出部
【図１】
2011004341.tif 000003
【図２】
2011004341.tif 000004
【図３】
2011004341.tif 000005
【図４】
2011004341.tif 000006
【図５】
2011004341.tif 000007
【図６】
2011004341.tif 000008
【図７】
2011004341.tif 000009
【図８】
2011004341.tif 000010
【図９】
2011004341.tif 000011
【図１０】
2011004341.tif 000012